(57)【要約】【課題】利用者が、コンテンツ記録装置に記録する際、容易に映像圧縮形式を変換することが可能なコンテンツ記録装置を提供する。【解決手段】実施形態によれば、コンテンツ記録装置は、第１の画像圧縮形式または前記第１の圧縮形式より圧縮効率の高い第２の画像圧縮形式でコンテンツを記録する複数の記録手段と、利用者のコンテンツの記録履歴情報を記憶する記憶手段と、前記第１の画像圧縮形式で視聴中のコンテンツを記録するとき、前記コンテンツと前記記録履歴情報を比較して前記コンテンツが持出しコンテンツであるか否かを判定する判定手段と、前記判定手段において前記コンテンツが持出しコンテンツと判定されたとき、未使用の他の前記記録手段に前記第２の画像圧縮形式で前記コンテンツを記録させる制御手段と、を有する。【選択図】図２
2015056769.tif 000002
【特許請求の範囲】
【請求項１】
第１の画像圧縮形式または前記第１の圧縮形式より圧縮効率の高い第２の画像圧縮形式でコンテンツを記録する複数の記録手段と、
利用者のコンテンツの記録履歴情報を記憶する記憶手段と、
前記第１の画像圧縮形式で視聴中のコンテンツを記録するとき、前記コンテンツと前記記録履歴情報を比較して前記コンテンツが持出しコンテンツであるか否かを判定する判定手段と、
前記判定手段において前記コンテンツが持出しコンテンツと判定されたとき、未使用の他の前記記録手段に前記第２の画像圧縮形式で前記コンテンツを記録させる制御手段と、
を有するコンテンツ記録装置。
【請求項２】
第１の画像圧縮形式または前記第１の圧縮形式より圧縮効率の高い第２の画像圧縮形式でコンテンツを記録する複数の記録手段と、
前記第２の画像圧縮形式で記録されたコンテンツの記録履歴情報を記憶する記憶手段と、
前記第１の画像圧縮形式で記録予約されたコンテンツを記録するとき、前記コンテンツと前記記録履歴情報を比較して前記コンテンツが持出しコンテンツであるか否かを判定する判定手段と、
前記判定手段において前記コンテンツが持出しコンテンツと判定されたとき、未使用の他の前記記録手段に前記第２の画像圧縮形式で前記コンテンツを記録させる制御手段と、
を有する記録装置。
【請求項３】
第１の画像圧縮形式または前記第１の圧縮形式より圧縮効率の高い第２の画像圧縮形式でコンテンツを記録する複数の記録手段と、
ネットワークに接続されたサーバから他の利用者の前記コンテンツの記録形式情報を取得する取得手段と、
前記第１の圧縮形式でコンテンツを記録するとき、前記コンテンツと前記記録形式情報を対照して前記コンテンツが持出しコンテンツであるか否かを判定する判定手段と、
前記判定手段において前記コンテンツが持出しコンテンツと判定されたとき、未使用の他の前記記録手段に前記第２の圧縮形式で前記コンテンツを記録させる制御手段と、
を有するコンテンツ記録装置。
【請求項４】
前記制御手段は、持出し記録が終了する前の時間に重複する新たな記録予約があり、かつ未使用の他の記録手段が残っていない場合に持出し記録を中断する請求項１乃至請求項３のいずれか１項に記載されたコンテンツ記録装置。
【請求項５】
前記制御手段は、持出し記録を中断した場合、他の記録手段が未使用状態になったら再び持出し記録を継続する請求項４に記載されたコンテンツ記録装置。
【請求項６】
第１の画像圧縮形式または前記第１の圧縮形式より圧縮効率の高い第２の画像圧縮形式でコンテンツを記録する複数の記録手段を有するコンテンツ記録装置のコンテンツ記録方法であって、
利用者のコンテンツの記録履歴情報を記憶する記憶ステップと、
前記第１の画像圧縮形式で視聴中のコンテンツを記録するとき、前記コンテンツと前記記録履歴情報を比較して前記コンテンツが持出しコンテンツであるか否かを判定する判定ステップと、
前記判定ステップにおいて前記コンテンツが持出しコンテンツと判定されたとき、未使用の他の前記記録手段に前記第２の画像圧縮形式で前記コンテンツを記録する記録ステップと、
を有するコンテンツ記録方法。
【請求項７】
第１の画像圧縮形式または前記第１の圧縮形式より圧縮効率の高い第２の画像圧縮形式でコンテンツを記録する複数の記録手段を有するコンテンツ記録装置のコンテンツ記録方法であって、
前記第２の画像圧縮形式で記録されたコンテンツの記録履歴情報を記憶する記憶ステップと、
前記第１の画像圧縮形式で記録予約されたコンテンツを記録するとき、前記コンテンツと前記記録履歴情報を比較して前記コンテンツが持出しコンテンツであるか否かを判定する判定ステップと、
前記判定ステップにおいて前記コンテンツが持出しコンテンツと判定されたとき、未使用の他の前記記録手段に前記第２の画像圧縮形式で前記コンテンツを記録する記録ステップと、
を有するコンテンツ記録方法。
【発明の詳細な説明】
【技術分野】
【０００１】
本発明の実施形態は、コンテンツ記録装置およびコンテンツ記録方法関する。
【背景技術】
【０００２】
近年、コンテンツ記録装置は、ＨＤＤ（Hard Disk Drive）などに録画したコンテンツをメモリカード等にダビングする機能を有している。そして利用者は、ダビングされたコンテンツが記録されたメモリカードを携帯端末にセットすることにより、コンテンツを持出して外出先でコンテンツを楽しむことができる。
【０００３】
一般的に携帯端末では、再生処理能力が据え置き型の記録装置に比べて低いため、コンテンツ記録装置が通常記録する映像圧縮形式の映像をそのまま再生することができないことが多い。このような場合への対処として、携帯端末へコンテンツの転送を行う前に、コンテンツ記録装置側で、携帯端末で再生可能な形式へ変換（トランスコード）処理を行ってから、あるいは変換処理を行いながら転送するようにしている。
【先行技術文献】
【特許文献】
【０００４】
【特許文献１】特開２０１２-０１５８０１号公報
【発明の概要】
【発明が解決しようとする課題】
【０００５】
コンテンツを持出して外出先で視聴する機会は、予期していたものではなく、時間的な制約やコンテンツ記録装置を他の人が使用する場合等、突発的な事情によって発生する場合がある。しかしながら、携帯端末で再生可能な映像圧縮形式へ変換処理するには時間を要するために、直ぐに記録コンテンツを持ち出すことができない。また、記録装置内の目的のコンテンツを選択して、変換処理する手続も煩雑で面倒である場合が多い。
【０００６】
本発明の目的は、上記したような事情に鑑み成されたものであって、利用者が、コンテンツ記録装置に記録する際、容易に映像圧縮形式を変換することが可能なコンテンツ記録装置およびコンテンツ記録方法を提供することである。
【課題を解決するための手段】
【０００７】
上記目的を達成するために、実施形態によれば、コンテンツ記録装置は、第１の画像圧縮形式または前記第１の圧縮形式より圧縮効率の高い第２の画像圧縮形式でコンテンツを記録する複数の記録手段と、利用者のコンテンツの記録履歴情報を記憶する記憶手段と、前記第１の画像圧縮形式で視聴中のコンテンツを記録するとき、前記コンテンツと前記記録履歴情報を比較して前記コンテンツが持出しコンテンツであるか否かを判定する判定手段と、前記判定手段において前記コンテンツが持出しコンテンツと判定されたとき、未使用の他の前記記録手段に前記第２の画像圧縮形式で前記コンテンツを記録させる制御手段と、を有する。
【図面の簡単な説明】
【０００８】
【図１】第１の実施形態に係るコンテンツ記録装置の外観斜視図。
【図２】第１の実施形態に係るコンテンツ記録装置の構成を示したブロック図。
【図３】チューナ、復調部、トランスコーダ、記録装置の内部の構成を示した図。
【図４】チューナ、復調部、トランスコーダ、記録装置の内部の他の構成を示した図。
【図５】実施形態に係わるリモコンの外観図。
【図６】第１の実施形態に係る視聴中のコンテンツの記録動作手順を示したフローチャート。
【図７】第２の実施形態に係るコンテンツ記録装置の構成を示したブロック図。
【図８】画面に番組指定予約ウィンドーが表示された状態を示した図。
【図９】第２の実施形態に係る記録予約したコンテンツの記録動作手順を示したフローチャート。
【図１０】第３の実施形態に係るコンテンツ記録装置の構成を示したブロック図。
【発明を実施するための形態】
【０００９】
（第１の実施形態）
以下実施形態について図面を参照しながら説明する。図１は、第１の実施形態に係るコンテンツ記録装置１の外観斜視図である。コンテンツ記録装置１は、デジタル放送を受信し、受信した放送番組（コンテンツ）の映像データ及び音声データの記録および再生が可能であって、画面にコンテンツの映像を表示するデジタルテレビ、ＰＣ（Personal Computer）や携帯端末等の映像記録再生装置である。あるいは、デジタル放送を受信し、受信したコンテンツの映像データ及び音声データの記録および再生が可能なＤＶＤ（Digital Versatile Disc）レコーダやＢｌｕ−ｒａｙ（登録商標）レコーダ等であってもよい。
【００１０】
コンテンツ記録装置１の実施形態として、デジタルテレビを一例として説明する。コンテンツ記録装置１は、本体２と、本体２を支持するスタンド３を備えている。本体２は前面側に液晶パネルやＰＤＰ（Plasma Display Panel）パネル等の表示パネル４が配置され、表示パネル４の背面側に表示パネル４を支持する図示しないフレームが配置されている。フレームには表示パネル４を駆動するための図示しない回路基板や電源回路が設置されている。
【００１１】
本体２は、本体２の前面側と上面、底面、両側側面の一部を覆う前面カバー５と、本体２の背面側と上面、底面、両側側面の一部を覆う背面カバー６とによって外面が囲まれている。画面７は、表示パネル４の前面カバー５の窓部５ａの内側の表示部分である。
【００１２】
リモコン８は赤外線あるいはBluetooth（登録商標）等による無線通信を利用して、コンテンツ記録装置１の操作受信部へ操作信号を送る操作機器である。
【００１３】
図２は、第１の実施形態に係るコンテンツ記録装置１の構成を示したブロック図である。アンテナ１０は、放送局１１から送信された放送電波を受信するための地上デジタル放送あるいは衛星デジタル放送用のアンテナである。チューナ１２は、地上デジタル放送、衛星デジタル放送あるいはケーブルテレビ放送の放送信号の中から所望のチャンネルの放送信号を選局する。チューナ１２は、複数のチューナユニットから構成されており、同時に複数の放送を受信することができる。アンテナ端子１２ａはアンテナ１０が接続される端子である。
【００１４】
復調部１３は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ２（Moving Picture Experts Group phase 2）−ＴＳ（Transport Stream）に復調され、デコード処理部１４に出力される。また、復調部１３は、ネットワーク送受信部３１を介してインターネット等のネットワーク３２から受信したＩＰ放送を復調する。復調部１３は、複数の復調器ユニットから構成されており、同時に複数の放送を復調することができる。
【００１５】
デコード処理部１４は、ＭＰＥＧデコーダ、映像音声デコーダ等の機能を有する。デコード処理部１４は、復調部１３から送信されたＭＰＥＧ２−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００１６】
また、デコード処理部１４は、記録装置２７から入力された映像データ及び音声データをデコードする。更に、デコード処理部１４は、外部装置３１から入力された映像データ及び音声データをデコードする機能を有する。
【００１７】
重畳処理部１５は、デコード処理部１４からの映像データと、バス２０を介して転送されるデータ放送やＧＵＩ（Graphical User Interface）情報によるウィンドー描画をプレーン管理して、映像データとの重ね合わせを行い、映像処理部１６に送る。
【００１８】
映像処理部１６は、表示装置１７で表示可能なフォーマット（画素数、フレーム周波数、走査方式）に変換したり、表示色を任意に調整したりして、表示装置１７に出力して映像を画面７に表示させる。
【００１９】
音声処理部１８は、デコード処理部１４から伝送されたデジタルの音声データを、スピーカ１９あるいはイヤホン（図示しない）で再生可能なアナログ音声信号に変換した後、スピーカ１９あるいはイヤホンに出力して音声を再生させる。なお、表示装置１７やスピーカ１９はコンテンツ記録装置１の外部にあってもよい。また、コンテンツ記録装置１と別の本体に納められていてもよい。
【００２０】
コンテンツ記録装置１は、上記した受信動作を含むその全ての動作を制御部２１によって統括的に制御されている。制御部２１はＭＰＵ（Micro Processing Unit）２２が搭載されており、バス２０を介して接続された各構成要素を制御する。
【００２１】
ＲＡＭ（Random Access Memory）２３は、制御部２１のデータ処理に必要な各種データを格納するリードライト用のメモリであり、映像データ、画像フレームの情報等を格納するバッファメモリとして動作する。ＲＯＭ（Read Only Memory）２４は読出し専用のメモリであり、ＭＰＵ２２が実行する制御のプログラムなどを格納している。
【００２２】
フラッシュメモリ２５は、書き換え可能であり、電源を切ってもデータが消えない不揮発性のメモリである。フラッシュメモリ２５は、利用者によって設定されたコンテンツ記録装置１の機能及び動作に関する各種設定値を記憶する機能を有する。
【００２３】
トランスコーダ２６は、記録装置２７に記録するコンテンツの映像データの圧縮形式を変更してデータ転送率や解像度をリアルタイムで変換したり、圧縮形式を変更しないでデータ転送率や解像度をリアルタイムで変換したりする。圧縮形式を変更する場合には、映像データを一旦デコードして圧縮を解除し、改めて再エンコードして目的の別種の圧縮形式のデータ転送率や解像度に変換する。圧縮形式やデータ転送率や解像度を変換しない場合は、そのまま通過させる。トランスコーダ２６は、例えば、ＭＰＥＧ２の圧縮形式をＨ．２６４／ＭＰＥＧ−４ ＡＶＣ（Moving Picture Experts Group phase 4 Advanced Video Coding）に変換する。
【００２４】
記録装置２７は、ＨＤＤ（Hard Disk Drive）、ＳＳＤ（Solid State Drive）あるいはＯＤＤ（Optical Disc Drive）等を含む記録手段である。記録装置２７には、記録媒体に記録再生するためのエンコーダとデコーダが搭載されており、該エンコーダとデコーダを介して映像データが記録装置２６の記録再生形態に適したフォーマットに変調されＨＤＤ、ＳＳＤあるいはＯＤＤに記録され、また復調されて再生データとして出力される。この再生データは、デコード処理部１４でデコードされる。なお、記録装置２７は、複数あってもよい。
【００２５】
図３はチューナ１２、復調部１３、トランスコーダ２６、記録装置２７の内部の構成を示した図である。チューナ１２は複数のチューナユニットから構成されており、また復調部１３は、複数の復調器ユニットから構成されており、同時に複数の放送を受信、復調することができる。トランスコーダ２６は、複数のトランスコーダユニットから構成されており、それぞれの復調器に接続されている。図３においては、ｎ個のチューナユニット、ｎ個の復調器ユニット、ｎ個のトランスコーダユニットから成るｎ個の記録系統が示されている。記録装置２７は１個であるが、複数に分割されていても構わない。
【００２６】
図４は、チューナ１２、復調部１３、トランスコーダ２６、記録装置２７の内部の他の構成を示した図である。チューナユニットが３個、復調器ユニットが３個、トランスコーダユニットが２個の例である。回路基板の大きさの制限やコストの制限からトランスコーダが削減される場合がある。図４に示した例においては、チューナ３、復調器３の記録系統はトランスコーダがないため映像データは変換できない。
【００２７】
図２において、操作受信部２８は、操作機器２９から送信される操作信号を受信し、制御部２１に転送する。操作機器２９は、例えば、赤外線あるいはBluetooth（登録商標）等による無線通信を利用したリモコン（リモートコントローラ、remote controller）８、有線式あるいは無線式キーボード等であり、操作信号を送出する。操作受信部２８は、これらリモコン８やキーボード等から操作信号を受信する。
【００２８】
外部インターフェース３０は、ＵＳＢ（Universal Serial Bus）、ＩＥＥＥ１３９４（Institute of Electrical and Electronic Engineers 1394）、ｅＳＡＴＡ(external Serial ATA(AT Attachment)）、ＳＤ（Secure Digital）（登録商標）メモリカード、メモリースティック（登録商標）、あるいはＨＤＭＩ（登録商標）（High Definition Multimedia Interface）等のインターフェースであり、ＵＳＢメモリやＵＳＢ外部機器、ＳＤメモリカード、メモリースティック、ＨＤＤ、ＳＳＤ、ＣＤ、ＤＶＤ、Ｂｌｕ−ｒａｙ（登録商標）記録再生機等のドライブ類を含む外部装置３１が接続される。外部装置端子３０ａは外部装置３１が接続される端子である。
【００２９】
コンテンツ記録装置１は、外部インターフェース３２を介して外部装置３１にコンテンツをダビングしたりムーブしたりすることができる。また、利用者は記録装置２７または外部装置３１のどちらにコンテンツを記録するかを選択できる。コンテンツ記録装置１は、外部装置３１に記録された映像または音声情報を再生することができる。
【００３０】
コンテンツ記録装置１は、ネットワーク送受信部３２を介してインターネット等のネットワーク３３に接続されている。これにより、コンテンツ記録装置１は、ネットワーク３３に接続されたサーバ３４等の機器とネットワーク送受信部３２を介して情報伝送を行なうことができる。例えば、ＤＬＮＡ（Digital Living Network Alliance）ガイドラインに対応したサーバから映像コンテンツを受信することが可能である。ネットワーク端子３２ａはネットワーク３３が接続される端子である。ネットワーク送受信部３２とネットワーク３３の接続は有線だけでなく、例えば、ＩＥＥＥ８０２．１１シリーズの通信方式を用いた無線ＬＡＮ（Local Area Network）等の無線接続であってもよい。
【００３１】
図５は、実施形態に係わるリモコン８の外観図である。リモコン８は赤外線あるいはBluetooth（登録商標）等による無線通信を利用して、コンテンツ記録装置１の操作受信部２８へ操作信号を送る。電源ボタン４０は、コンテンツ記録装置１の電源をオンまたはオフする。詳細にはコンテンツ記録装置１を待機状態から動作状態、または動作状態から待機状態にするボタンである。放送波選択ボタン４１は、放送の種類を選択する操作ボタンである。
【００３２】
選局ボタン４２は、放送のチャンネル番号を直接選択する１から１２までの番号が振られたボタンである。チャンネル送りボタン４３は、チャンネル番号を順送りまたは逆送りで選局するボタンであり、選局ボタン４２と同様にチャンネルを選局するときに用いられる。音量調整ボタン４４は、コンテンツを視聴するときのスピーカの音量を調整するボタンである。
【００３３】
カーソルボタン４５は画面７に表示されたＧＵＩ（Graphical User Interface）画面の各種の情報ウィンドー内のカーソルの移動や各種項目の選択ボタンの移動を行うためのボタンである。カーソルボタン４５は、十字ボタンまたは方向指示ボタンとも呼ばれる。左方向カーソルボタン４５ａはカーソルを左方向に移動させるときに用いるボタンである。右方向カーソルボタン４５ｂ、上方向カーソルボタン４５ｃ、下方向カーソルボタン４５ｄはそれぞれカーソルを右方向、上方向、下方向に移動させるときに用いる。決定ボタン４６は、カーソルボタン４５ａ〜４５ｄで移動した先の位置または画面上のボタンを実行するときに用いられる。
【００３４】
番組表ボタン４７は、番組表を画面７に表示するときに操作する専用の操作ボタンである。メニューボタン４８は、コンテンツ記録装置１に用意された各種の設定メニューを表示するときに押下するボタンである。利用者は、階層表示された複数の項目の中から目的の設定項目を、カーソルボタン４５を用いて選択する。戻るボタン４９は一つ前の操作段階の画面へ戻るときに使うボタンである。終了ボタン５０は、一連の操作を終了するときに操作するボタンである。
【００３５】
補助カーソルボタン５１は、画面７に表示された番組表のページや各種リストの切り換え、複数表示されたタブの切り換えなど、主に画面７に表示されたＧＵＩ画面を切り換えるときに使用される操作ボタンである。補助カーソルボタン５１ａは左方向、５１ｂは右方向、５１ｃは下方向あるいは次の画面、５１ｄは上方向あるいは前の画面を選択したり移動したりするときに操作する。
【００３６】
４色の色ボタン５２は、左から青ボタン５２ａ、赤ボタン５２ｂ、緑ボタン５２ｃ、黄ボタン５２ｄの順に配置されている。画面７上に色により区別された項目や色による選択の表示があるときに使用する。記録装置操作ボタン５３は、記録装置２７や外部インターフェース３０を介して接続された外付け記録装置３１に記録されたコンテンツを再生する際に、再生、停止、一時停止、早送り再生、早戻し再生、次コンテンツスキップ、先頭戻り・前コンテンツスキップするためのボタンである。録画ボタン５４は、視聴中のコンテンツを記録するときに操作するボタンである。
【００３７】
図２において、制御部２１は、記録制御部３５、記録履歴情報取得部３６、持出し判定部３７の機能を有する。この機能は、制御部２１のＭＰＵ２２が実行するアプリケーションであり、通常はＲＯＭ２４に格納されており、使用時にはＭＰＵ２２によって読み出され実行される。
【００３８】
記録制御部３５は、利用者の要求に基づいて設定された放送コンテンツの記録の予約情報を管理し、予約されたコンテンツの記録処理、視聴中のコンテンツの記録処理を行う。また、記録装置２７や外部装置３１の記録可能時間の算出を行う。さらに、記録制御部３５は記録リストを生成し、記録リストに含まれた記録コンテンツの消去等を行う。
【００３９】
記録制御部３５は、記録装置２７にコンテンツを記録する際、第１の画像圧縮形式または第１の圧縮形式より圧縮効率の高い第２の圧縮形式でコンテンツを記録する設定をする。第１の画像圧縮形式は、例えば、ＭＰＥＧ２であり、第２の圧縮形式は、例えば、Ｈ．２６４／ＭＰＥＧ−４ ＡＶＣである。一般的にＨ．２６４／ＭＰＥＧ−４ ＡＶＣの圧縮効率はＭＰＥＧ２の２倍以上あると言われている。両者ともそれぞれの画像圧縮形式の中で低いデータ転送率の用途から高いデータ転送率の用途に至るまで幅広く利用されている。
【００４０】
記録制御部３５は、記録装置２７や外部装置３１に記録するコンテンツの番組情報（放送局名、放送日時、番組名、放送概要、出演者、番組詳細、番組分類等）、記録時間、記録コンテンツが再生済みか未再生かの区別等を、記録装置２７または外部装置３１あるいはフラッシュメモリ２５に記録する。
【００４１】
記録履歴情報取得部３６は、利用者のコンテンツの記録履歴情報３９ａあるいは嗜好情報３９ｂを取得し、フラッシュメモリ２５の記録履歴情報記憶部３８に記憶させる。コンテンツの記録履歴情報３９ａとは、コンテンツを記録するとき、あるいは記録されたコンテンツの中で持出し記録されたコンテンツについて番組情報を取得して、番組情報の項目毎に持出し記録された頻度を集計した記録履歴の情報である。例えば、番組分類（ニュース／報道、スポーツ、情報／ワイドショー、ドラマ、音楽、バラエティ等）の中で持出し記録の多い順に分類が記憶されたり、出演者が記憶されたりする。
【００４２】
コンテンツの嗜好情報３９ｂとは、記録されたコンテンツ、記録されたコンテンツの再生回数、記録されたコンテンツの持出し記録等について番組情報を取得して、番組情報の項目毎に利用者が嗜好するコンテンツを集計した情報である。コンテンツの記録履歴情報３９ａあるいは嗜好情報３９ｂは、フラッシュメモリ２５の記録履歴情報記憶部３８に記憶される。
【００４３】
持出し記録とは、携帯端末でコンテンツを視聴できる様に、放送されたコンテンツを記録するときに、携帯端末が再生可能な記録形式で記録装置２７に記録することである。記録装置２７に持出し記録されていれば、このデータをメモリカードやＵＳＢメモリ等に短い時間でダビングしたりムーブしたりすることができる。メモリカードやＵＳＢメモリ等を携帯端末にセットすることにより、コンテンツを持出して外出先でコンテンツを楽しむことができる。携帯端末を外部インターフェース３０に直接接続したり、ネットワーク送受信部３２を介して無線ＬＡＮ等によってダビングしたりムーブしてもよい。
【００４４】
携帯端末でコンテンツを視聴する際、一般的に携帯端末では、画像のデコード処理能力が据え置き型の記録装置に比べて低いため、コンテンツ記録装置１が通常記録する圧縮形式（例えばＭＰＥＧ２）をそのまま再生することができないことが多い。このような場合への対処として、携帯端末へコンテンツの転送を行う際、コンテンツ記録装置１側で、携帯端末で再生可能な第２の画像圧縮形式へ変換処理（例えばＭＰＥＧ２からＨ．２６４／ＭＰＥＧ−４ ＡＶＣ）を行ってから、あるいは、変換処理を行いながら転送するようにする。
【００４５】
持出し判定部３７は、第１の画像圧縮形式（例えばＭＰＥＧ２）でコンテンツを記録するとき、この記録しようとしているコンテンツと記録履歴情報３９ａあるいは嗜好情報３９ｂを比較してこのコンテンツが持出し用のコンテンツであるか否かを判定する。このコンテンツの番組情報と記録履歴情報３９ａあるいは嗜好情報３９ｂの番組情報を比較してこのコンテンツが持出し記録のレベルにあるかを判定する。例えば、このコンテンツの番組分類がスポーツであり、記録履歴情報３９ａにおいてスポーツのコンテンツの持出し記録の頻度が高ければ、このコンテンツを持出しコンテンツと判定する。
【００４６】
記録履歴情報３９ａの番組情報毎に持出し記録の頻度に関する閾値を設け、記録しようとしているコンテンツの番組情報が、この閾値より大きければ持出しコンテンツと判定するようにしてもよい。
【００４７】
記録制御部３５は、持出し判定部３７において記録しようとしているコンテンツが持出しコンテンツと判定されたとき、未使用の他の記録系統に第２の圧縮方式でコンテンツを平行して記録させる。従って、コンテンツを１個の記録系統において第１の圧縮形式で記録し、未使用の他の記録系統において第２の圧縮形式で平行して記録する。
【００４８】
１個の記録系統とは、例えば、図３において、チューナ１、復調器１、トランスコーダ１の記録系統１であり、この場合の他の記録系統とは、記録系統１とは別の、例えば、チューナ２、復調器２、トランスコーダ２の記録系統２やチューナｎ、復調器ｎ、トランスコーダｎの記録系統ｎである。
【００４９】
図４において、１個の記録系統をチューナ１、復調器１、トランスコーダ１の記録系統１とした場合、第１の画像圧縮形式（例えばＭＰＥＧ２）でコンテンツを記録するとき、トランスコーダ１を通さずに記録装置２７に記録する。チューナ２、復調器２、トランスコーダ２の記録系統２が未使用であれば、この記録系統２を使用して第２の画像圧縮形式（例えばＨ．２６４／ＭＰＥＧ−４ ＡＶＣ）で上記記録と平行して記録装置２７に持出し記録をする。
【００５０】
記録制御部３５は、記録系統２が使用中であったり、記録予約が迫っていたりすれば、第２の画像圧縮形式で持出し記録をしない。また、記録制御部３５は、持出し記録開始後に利用者が、持出し記録が終了する時間の前に重複する新たな記録予約を設定し、かつ未使用の他の記録系統が残っていない場合に持出し記録を中断する。中断後は、後追いで第２の画像圧縮形式で持出し記録をする。例えば、図４においては、記録系統１または２が空き次第（未使用状態になったら）後追いで記録を継続する。図４においては、チューナ３、復調器３の記録系統３はトランスコーダが存在しないため第２の画像圧縮形式では記録できない。
【００５１】
記録制御部３５は、持出し記録を中断した場合、他の記録系統が復活したら（未使用状態になったら）再び持出し記録を継続する。後追いで第２の画像圧縮形式で持出し記録をするときは、記録装置２７に第１の圧縮形式で記録されたコンテンツを再生して再びトランスコーダ２６を介して第２の圧縮形式で記録装置２７に記録する。
【００５２】
第１の画像圧縮方式でコンテンツを記録するとき、コンテンツと記録履歴情報３９ａあるいは嗜好情報３９ｂを比較してコンテンツが持出しコンテンツであるか否かを判定して、判定ステップにおいてコンテンツが持出しコンテンツと判定されたとき、未使用の他の記録系統に第２の画像圧縮方式でコンテンツを平行して記録させる一連の動作の設定は、利用者がコンテンツ記録装置１に搭載された設定メニューにより設定することができる。リモコン８のメニューボタン４８を押下し、各種の設定メニュー（図示せず）の中から記録設定を選択し、さらに階層表示された複数の項目の中から視聴番組の持出し記録を選択することにより設定できる。
【００５３】
図６は、第１の実施形態に係る視聴中のコンテンツの記録動作手順を示したフローチャートである。利用者が視聴中のコンテンツを録画するときには、リモコン８の録画ボタン５４を押下することにより画面７に録画確認ウィンドー（図示せず）が表示され、録画開始を選択し決定ボタン４６を押下することにより開始される。Ｓ１１において、制御部２１は操作受信部２８からリモコン８からの記録指示信号を受信する。
【００５４】
Ｓ１２において、記録制御部３５は、現在視聴中のコンテンツの記録を第１の圧縮形式で開始する。第１の圧縮形式とは、例えば、記録コンテンツが地上デジタル放送によるコンテンツである場合には、ＭＰＥＧ２であり、ビットレートが１７Ｍｂｐｓ（Megabit per second）程度である。
【００５５】
Ｓ１３において、持出し判定部３７は、記録するコンテンツと記録履歴情報３９ａあるいは嗜好情報３９ｂとを比較してこのコンテンツが持出しコンテンツであるか否かを判定する。持出しコンテンツである場合はＳ１４へ移る。持出しコンテンツでない場合はＳ１７へ移る。
【００５６】
Ｓ１４において、記録制御部３５は、コンテンツ終了時間まで未使用の他の記録系統で持出し記録が可能かを判定する。可能であれば、Ｓ１５へ移る。可能でなければ、ＳＳ１７へ移る。Ｓ１５において、記録制御部３５は、未使用の他の記録系統で持出し記録を第２の圧縮形式で開始する。
【００５７】
Ｓ１６において、記録制御部３５は、持出し記録開始後に利用者が、持出し記録が終了する前の時間に重複する新たな記録予約を設定したかを判定する。設定した場合にはＳ１９に移って未使用の記録系等が残っているかを判定する。未使用の記録系等が残っていれば、Ｓ１７へ移る。残っていなければＳ１９へ移って持出し記録を中断する。Ｓ１７において、記録制御部３５は、コンテンツが終了したら記録を終了する。
【００５８】
以上のように、第１の画像圧縮形式（例えばＭＰＥＧ２）または第１の圧縮形式より圧縮効率の高い第２の圧縮形式（例えばＨ．２６４／ＭＰＥＧ−４ ＡＶＣ）でコンテンツを記録する複数の記録系統を有し、利用者のコンテンツの記録履歴情報３９ａあるいは嗜好情報３９ｂを取得してフラッシュメモリ２５の記録履歴情報記憶部３８に記憶し、第１の圧縮方式で放送コンテンツを記録するときに、記録するコンテンツを記録履歴情報３９ａあるいは嗜好情報３９ｂと比較して記録するコンテンツが持出しコンテンツであるかを判定し、持出しコンテンツであれば、未使用の他の記録系統が空いていれば、第２の圧縮方式でコンテンツを平行して記録する。こうすることによって利用者が、コンテンツ記録装置にコンテンツを記録する際、容易に映像圧縮形式を変換することが可能となる。
【００５９】
（第２の実施形態）
図７は、第２の実施形態に係るコンテンツ記録装置６０の構成を示したブロック図である。この第２の実施形態の各部について、図２に示す第１の実施形態の各部と同一部分は同一符号である。
【００６０】
この第２の実施形態が第１の実施形態と異なる点は、第１の実施形態においては、記録履歴情報取得部３６は、利用者のコンテンツの記録履歴情報３９ａあるいは嗜好情報３９ｂを取得し、フラッシュメモリ２５の記録履歴情報記憶部３８に記憶させる機能を有していたが、第２の実施形態においては、記録履歴情報取得部６３は、第２の画像圧縮形式で記録されたコンテンツの記録履歴情報６６を取得してフラッシュメモリ２５の記録履歴情報記憶部６５に記憶させる機能を有している点である。
【００６１】
また、第２の実施形態が第１の実施形態と異なる点は、第１の実施形態においては、持出し判定部３７は、第１の画像圧縮形式（例えばＭＰＥＧ２）でコンテンツを記録するとき、この記録しようとしているコンテンツと記録履歴情報３９ａあるいは嗜好情報３９ｂを比較してこのコンテンツが持出しコンテンツであるか否かを判定する機能を有していたが、第２の実施形態においては、持出し判定部６４は、第１の画像圧縮形式で記録予約されたコンテンツを記録するとき、この記録しようとしているコンテンツと記録履歴情報６６を比較してこのコンテンツが持出しコンテンツであるか否かを判定する機能を有している点である。
【００６２】
図７において、制御部６１は、記録制御部６２、記録履歴情報取得部６３、持出し判定部６４の機能を有する。この機能は、制御部６１のＭＰＵ２２が実行するアプリケーションであり、通常はＲＯＭ２４に格納されており、使用時にはＭＰＵ２２によって読み出され実行される。
【００６３】
記録制御部６２は、利用者の要求に基づいて設定された放送コンテンツの記録の予約情報を管理し、予約されたコンテンツの記録処理、視聴中のコンテンツの記録処理を行う。記録制御部６２は、記録装置２７にコンテンツを記録する際、第１の画像圧縮形式または第１の圧縮形式より圧縮効率の高い第２の圧縮形式でコンテンツを記録する設定をする。第１の画像圧縮形式は、例えば、ＭＰＥＧ２であり、第２の圧縮形式は、例えば、Ｈ．２６４／ＭＰＥＧ−４ ＡＶＣである。
【００６４】
記録履歴情報取得部６３は、第２の画像圧縮形式で記録されたコンテンツの記録履歴情報６６を取得してフラッシュメモリ２５の記録履歴情報記憶部６５に記憶させる
【００６５】
記録履歴情報６６とは、過去に第２の画像圧縮形式で記録されたコンテンツの番組情報（放送局名、放送日時、番組名、放送概要、出演者、番組詳細、番組分類等）であり、番組情報の項目毎に過去に第２の画像圧縮形式で記録された頻度を集計した記録履歴の情報である。例えば、番組分類（ニュース／報道、スポーツ、情報／ワイドショー、ドラマ、音楽、バラエティ等）の中で第２の画像圧縮形式の記録が多い順に番組分類が記憶されたり、出演者が記憶されたりする。第２の画像圧縮形式で記録されたコンテンツは持出し記録用に記録されたものと見なすことができる。
【００６６】
持出し判定部６４は、第１の画像圧縮形式で記録予約されたコンテンツを記録するとき、この記録しようとしているコンテンツと記録履歴情報６６を比較して、このコンテンツが持出しコンテンツであるか否かを判定する。
【００６７】
記録制御部６２は、持出し判定部６４において記録しようとしているコンテンツが持出しコンテンツと判定されたとき、未使用の他の記録系統に第２の画像圧縮形式でコンテンツを平行して記録させる。従って、コンテンツを１個の記録系統において第１の圧縮形式で記録し、未使用の他の記録系統において第２の圧縮形式で平行して記録する。
【００６８】
第１の画像圧縮方式でコンテンツを記録予約して記録するとき、コンテンツと記録履歴情報６６を比較してコンテンツが持出しコンテンツであるか否かを判定して、判定ステップにおいてコンテンツが持出しコンテンツと判定されたとき、未使用の他の記録系統に第２の画像圧縮方式でコンテンツを平行して記録させる動作の設定は、利用者がコンテンツ記録装置１に搭載された設定メニューにより設定することができる。
【００６９】
図８は、画面７に番組指定予約ウィンドー６７が表示された状態を示した図である。利用者が画面７に番組指定予約ウィンドー６７を表示し、カーソルボタン４５を操作して持出し用録画ボタン６８をハイライトさせ、決定ボタン４６を押下してチェックボックス６９に設定マーク７０を表示すると、持出し記録を設定することができる。
【００７０】
図９は、第２の実施形態に係る記録予約したコンテンツの記録動作手順を示したフローチャートである。記録予約したコンテンツを記録するときには、記録制御部６２が記録チャンネルや記録方式の設定をして番組開始または番組開始の少し前から記録が開始される。Ｓ２１において、記録制御部６２は、予約記録開始前に予約記録の準備をする。
【００７１】
Ｓ２２において、記録制御部６２は、予約記録を第１の圧縮形式で開始する。第１の圧縮形式とは、例えば、記録コンテンツが地上デジタル放送によるコンテンツである場合には、ＭＰＥＧ２であり、ビットレートが１７Ｍｂｐｓ（Megabit per second）程度である。
【００７２】
Ｓ２３において、持出し判定部６４は、予約記録するコンテンツと記録履歴情報６６とを比較してこのコンテンツが持出しコンテンツであるか否かを判定する。持出しコンテンツである場合はＳ２４へ移る。持出しコンテンツでない場合はＳ２７へ移る。
【００７３】
Ｓ２４において、記録制御部６２は、コンテンツ終了時間まで未使用の他の記録系統で持出し記録が可能かを判定する。可能であれば、Ｓ２５へ移る。可能でなければ、ＳＳ２７へ移る。Ｓ２５において、記録制御部６２は、未使用の他の記録系統で持出し記録を第２の圧縮形式で開始する。
【００７４】
Ｓ２６において、記録制御部６２は、持出し記録開始後に利用者が、持出し記録が終了する前の時間に重複する新たな記録予約を設定したかを判定する。設定した場合にはＳ２８に移って未使用の記録系等が残っているかを判定する。未使用の記録系等が残っていれば、Ｓ２７へ移る。残っていなければＳ２９へ移って持出し記録を中断する。Ｓ２７において、記録制御部６２は、コンテンツが終了したら記録を終了する。
【００７５】
以上のように、第１の画像圧縮形式（例えばＭＰＥＧ２）または第１の圧縮形式より圧縮効率の高い第２の圧縮形式（例えばＨ．２６４／ＭＰＥＧ−４ ＡＶＣ）でコンテンツを記録する複数の記録系統を有し、第２の画像圧縮形式で記録されたコンテンツの記録履歴情報６６を取得してフラッシュメモリ２５の記録履歴情報記憶部６５に記憶し、第１の圧縮方式で記録予約されたコンテンツを記録するとき、記録するコンテンツを記録履歴情報６６と比較して記録するコンテンツが持出しコンテンツであるかを判定し、持出しコンテンツであれば、未使用の他の記録系統が空いていれば、第２の圧縮方式でコンテンツを平行して記録する。こうすることによって利用者が、コンテンツ記録装置にコンテンツを記録する際、容易に映像圧縮形式を変換することが可能となる。
【００７６】
（第３の実施形態）
図１０は、第３の実施形態に係るコンテンツ記録装置８０の構成を示したブロック図である。この第３の実施形態の各部について、図２に示す第１の実施形態の各部と同一部分は同一符号である。
【００７７】
この第３の実施形態が第１の実施形態と異なる点は、第１の実施形態においては、記録履歴情報取得部３６は、利用者のコンテンツの記録履歴情報３９ａあるいは嗜好情報３９ｂを取得し、フラッシュメモリ２５の記録履歴情報記憶部３８に記憶させる機能を有していたが、第３の実施形態においては、記録形式情報取得部８３は、ネットワーク３３に接続されたサーバ３４から他の利用者のコンテンツの記録形式情報８６を取得してフラッシュメモリ２５の記録履歴情報記憶部８５に記憶させる機能を有している点である。
【００７８】
また、第２の実施形態が第１の実施形態と異なる点は、第１の実施形態においては、持出し判定部３７は、第１の画像圧縮形式（例えばＭＰＥＧ２）でコンテンツを記録するとき、この記録しようとしているコンテンツと記録履歴情報３９ａあるいは嗜好情報３９ｂを比較してこのコンテンツが持出しコンテンツであるか否かを判定する機能を有していたが、第２の実施形態においては、持出し判定部８４は、第１の画像圧縮形式でコンテンツを記録するとき、この記録しようとしているコンテンツと記録形式情報８６を比較してこのコンテンツが持出しコンテンツであるか否かを判定する機能を有している点である。
【００７９】
図１０において、制御部８１は、記録制御部８２、記録履歴情報取得部８３、持出し判定部８４の機能を有する。この機能は、制御部８１のＭＰＵ２２が実行するアプリケーションであり、通常はＲＯＭ２４に格納されており、使用時にはＭＰＵ２２によって読み出され実行される。
【００８０】
記録制御部８２は、利用者の要求に基づいて設定された放送コンテンツの記録の予約情報を管理し、予約されたコンテンツの記録処理、視聴中のコンテンツの記録処理を行う。記録制御部８２は、記録装置２７にコンテンツを記録する際、第１の画像圧縮形式または第１の圧縮形式より圧縮効率の高い第２の圧縮形式でコンテンツを記録する設定をする。第１の画像圧縮形式は、例えば、ＭＰＥＧ２であり、第２の圧縮形式は、例えば、Ｈ．２６４／ＭＰＥＧ−４ ＡＶＣである。
【００８１】
記録形式情報取得部８３は、ネットワーク３３に接続されたサーバ３４から他の利用者のコンテンツの記録形式情報８６を取得してフラッシュメモリ２５の記録形式情報記憶部８５に記憶させる。記録形式情報８６は、記録コンテンツのお気に入りコンテンツやおすすめコンテンツについて専用サーバ上で一般の視聴者の間で情報を共有、活用するシステムの中に含まれている。記録形式情報取得部８３は、記録形式情報８６を取得し、情報が入手できたコンテンツについてコンテンツ毎の記録形式を整理して記録形式情報記憶部８５に記憶させる。
【００８２】
持出し判定部８４は、第１の画像圧縮形式（例えばＭＰＥＧ２）でコンテンツを記録するとき、この記録しようとしているコンテンツと記録形式情報８６を対照してこのコンテンツが持出しコンテンツであるか否かを判定する。記録形式情報８６において持出し記録とされた頻度が大きい場合にはこのコンテンツが持出し記録のレベルにあると判定する。持出し記録とされた頻度に関する閾値を設けて判定するようにしてもよい。
【００８３】
記録制御部８２は、持出し判定部８４において記録しようとしているコンテンツが持出しコンテンツと判定されたとき、未使用の他の記録系統に第２の画像圧縮形式でコンテンツを平行して記録させる。従って、コンテンツを１個の記録系統において第１の圧縮形式で記録し、未使用の他の記録系統において第２の圧縮形式で平行して記録する。
【００８４】
第１の画像圧縮方式でコンテンツを記録予約して記録するとき、コンテンツと記録形式情報８６を対照してコンテンツが持出しコンテンツであるか否かを判定して、判定ステップにおいてコンテンツが持出しコンテンツと判定されたとき、未使用の他の記録系統に第２の画像圧縮方式でコンテンツを平行して記録させる動作の設定は、利用者がコンテンツ記録装置８０に搭載された設定メニューにより設定することができる。
【００８５】
以上のように、第１の画像圧縮形式（例えばＭＰＥＧ２）または第１の圧縮形式より圧縮効率の高い第２の圧縮形式（例えばＨ．２６４／ＭＰＥＧ−４ ＡＶＣ）でコンテンツを記録する複数の記録系統を有し、一般の視聴者によるコンテンツの記録に関する記録形式情報８６を取得してフラッシュメモリ２５の記録形式情報記憶部８５に記憶し、第１の圧縮方式で放送コンテンツを記録するときに、記録するコンテンツを記録形式情報８６と対照して記録するコンテンツが持出しコンテンツであるかを判定し、持出しコンテンツであれば、未使用の他の記録系統が空いていれば、第２の圧縮方式でコンテンツを平行して記録する。こうすることによって利用者が、コンテンツ記録装置にコンテンツを記録する際、容易に映像圧縮形式を変換することが可能となる。
【００８６】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００８７】
１…コンテンツ記録装置、７…画面、８…リモコン、１２…チューナ、１３…復調部、１４…デコード処理部、１５…重畳処理部、１６…映像処理部、１７…表示装置、２１…制御部、２２…ＭＰＵ、２３…ＲＡＭ、２４…ＲＯＭ、２５…フラッシュメモリ、２６…トランスコーダ、２７…記録装置、２８…操作受信部、２９…操作機器、３０…外部インターフェース、３１…外部装置、３２…ネットワーク送受信部、３３…ネットワーク、３４…サーバ、３５…記録制御部、３６…記録履歴情報取得部、３７…持出し判定部、３８…記録履歴情報記憶部、３９ａ…記録履歴情報、３９ｂ…嗜好情報、４５ａ、４５ｂ、４５ｃ、４５ｄ…カーソルボタン、４６…決定ボタン、４８…メニューボタン、６０…コンテンツ記録装置、６１…制御部、６２…記録制御部、６３…記録履歴情報取得部、６４…持出し判定部、６５…記録履歴情報記憶部、６６…記録履歴情報、６７…番組指定予約ウィンドー、８０…コンテンツ記録装置、８１…制御部、８２…記録制御部、８３…記録形式情報取得部、８４…持出し判定部８５…記録形式情報記憶部、８６…記録形式情報。
【図１】
2015056769.tif 000003
【図２】
2015056769.tif 000004
【図３】
2015056769.tif 000005
【図４】
2015056769.tif 000006
【図５】
2015056769.tif 000007
【図６】
2015056769.tif 000008
【図７】
2015056769.tif 000009
【図８】
2015056769.tif 000010
【図９】
2015056769.tif 000011
【図１０】
2015056769.tif 000012